(57)【要約】【課題】タブ端子部の削れの進行を防ぎ、オス端子とメス端子とがお互いに接続されたときにオス端子とメス端子と間の抵抗値が上昇することを抑制することができる端子接続構造を提供する。【解決手段】タブ端子部７が筒部１１内に挿入され、バネ接触部１３の弾性復元力を接触荷重としてタブ端子部７とバネ接触部１３とが電気的に接続される端子接続構造１において、バネ接触部１３には、突状の接点部１７が設けられており、タブ端子部７には、タブ端子部７の挿入・離脱方向に延びている摺動ガイド突部１９が設けられており、タブ端子部７の挿入方向への移動では、接点部１７が摺動ガイド突部１９の幅方向の一方の側に沿って摺動して摺動ガイド突部１９を越える位置まで移動し、タブ端子部７の離脱方向への移動では、接点部１７が摺動ガイド突部１９の幅方向の他方の側に沿って摺動するように接点部１７をガイドする接点部ガイド部２１が設けられている。【選択図】図１
2015179647.tif 000002
【特許請求の範囲】
【請求項１】
タブ端子部を有するオス端子と、
筒部内に配置されたバネ接触部を有するメス端子と、
を備え、前記タブ端子部が前記筒部内に挿入され、前記バネ接触部の弾性復元力を接触荷重として前記タブ端子部と前記バネ接触部とが電気的に接続される端子接続構造において、
前記バネ接触部には、突状の接点部が設けられており、
前記タブ端子部には、前記タブ端子部の挿入・離脱方向に延びている摺動ガイド突部が設けられており、
前記タブ端子部の挿入方向への移動では、前記接点部が前記摺動ガイド突部の幅方向の一方の側に沿って摺動して前記摺動ガイド突部を越える位置まで移動し、前記タブ端子部の離脱方向への移動では、前記接点部が前記摺動ガイド突部の幅方向の他方の側に沿って摺動するように前記接点部をガイドする接点部ガイド部が設けられていることを特徴とする端子接続構造。
【請求項２】
請求項１に記載の端子接続構造において、
前記摺動ガイド突部は、細長いストレートな突壁で構成されており、
前記接点部ガイド部は、前記摺動ガイド突部の長手方向の両端部に形成され幅方向に対して傾斜している傾斜部で構成されていることを特徴とする端子接続構造。
【請求項３】
請求項１または請求項２に記載の端子接続構造において、
前記摺動ガイド突部の幅方向の一方の側で前記摺動ガイド突部に沿って設けられ、前記タブ端子部を挿入方向へ移動するときに前記接点部が当接するとともに、前記挿入方向の奥側に向かうにしたがって突出量が次第に大きくなっている第１の勾配部と、
前記摺動ガイド突部の幅方向の他方の側で前記摺動ガイド突部に沿って設けられ、前記タブ端子部を離脱方向へ移動するときに前記接点部が当接するとともに、前記離脱方向の奥側に向かうにしたがって突出量が次第に大きくなっている第２の勾配部とが設けられていることを特徴とする端子接続構造。
【請求項４】
タブ端子部を有するオス端子と、
筒部内に配置されたバネ接触部を有するメス端子と、
を備え、前記タブ端子部が前記筒部内に挿入され、前記バネ接触部の弾性復元力を接触荷重として前記タブ端子部と前記バネ接触部とが電気的に接続される端子接続構造において、
前記タブ端子部には、突状の接点部が設けられており、
前記バネ接触部には、前記タブ端子部の挿入・離脱方向に延びている摺動ガイド突部が設けられており、
前記タブ端子部の挿入方向への移動では、前記接点部が前記摺動ガイド突部の幅方向の一方の側に沿って摺動して前記摺動ガイド突部を越える位置まで移動し、前記タブ端子部の離脱方向への移動では、前記接点部が前記摺動ガイド突部の幅方向の他方の側に沿って摺動するように前記接点部をガイドする接点部ガイド部が設けられていることを特徴とする端子接続構造。
【発明の詳細な説明】
【技術分野】
【０００１】
本発明は、バネ接触部の弾性復元力を接触荷重としてタブ端子部とバネ接触部とが電気的に接続される接続端子構造に関する。
【背景技術】
【０００２】
従来、図１０で示すような接続端子構造３０１が知られている（たとえば、特許文献１参照）。
【０００３】
接続端子構造３０１は、筒状の嵌合部３０３内に舌片状のバネ接点３０５が形成されたメス端子３０７と、メス端子３０７の嵌合部３０３内に挿入されてバネ接点３０５に接触されるタブ部３０９を有するオス端子３１１とからなる。
【０００４】
バネ接点３０５は板状部材を斜め上方に折り返すことによって形成され、その端部３１３が嵌合部３０３内の底部３１５に摺動しながらタブ部３０９の抜き挿し方向に移動自在とされることによって弾性変形可能に構成されている。嵌合部３０３内には、タブ部３０９の挿入方向におけるバネ接点３０５の端部３１３の移動を規制するストッパ３１７が設けられている。
【先行技術文献】
【特許文献】
【０００５】
【特許文献１】特開２００３−４５５３６号公報
【発明の概要】
【発明が解決しようとする課題】
【０００６】
ところで、従来の接続端子構造３０１では、オス端子３１１のタブ部３０９をメス端子３０７の嵌合部３０３に、挿入しまた挿入状態から抜くことを１回行う毎に、オス端子３１１のタブ部３０９の直線状の同一箇所をメス端子３０７のバネ接点３０５が２回通過することになる（図１１参照）。
【０００７】
これにより、オス端子３１１のタブ部３０９でのメッキの削れが進行しやすくメッキの磨耗によって抵抗値が上昇してしまうという問題がある。
【０００８】
本発明は、上記問題点に鑑みてなされたものであり、オス端子のタブ端子部がメス端子の筒部内に挿入されメス端子のバネ接触部の弾性復元力を接触荷重としてタブ端子部とバネ接触部とが電気的に接続される端子接続構造において、オス端子のタブ端子部のメス端子の筒部への挿抜を行っても（挿入し抜くことを行っても）、タブ端子部の削れの進行を防ぎ、オス端子とメス端子とがお互いに接続されたときにオス端子とメス端子と間の抵抗値が上昇することを抑制することができる端子接続構造を提供することを目的とする。
【課題を解決するための手段】
【０００９】
請求項１に記載の発明は、タブ端子部を有するオス端子と、筒部内に配置されたバネ接触部を有するメス端子とを備え、前記タブ端子部が前記筒部内に挿入され、前記バネ接触部の弾性復元力を接触荷重として前記タブ端子部と前記バネ接触部とが電気的に接続される端子接続構造において、前記バネ接触部には、突状の接点部が設けられており、前記タブ端子部には、前記タブ端子部の挿入・離脱方向に延びている摺動ガイド突部が設けられており、前記タブ端子部の挿入方向への移動では、前記接点部が前記摺動ガイド突部の幅方向の一方の側に沿って摺動して前記摺動ガイド突部を越える位置まで移動し、前記タブ端子部の離脱方向への移動では、前記接点部が前記摺動ガイド突部の幅方向の他方の側に沿って摺動するように前記接点部をガイドする接点部ガイド部が設けられている端子接続構造である。
【００１０】
請求項２に記載の発明は、請求項１に記載の端子接続構造において、前記摺動ガイド突部は、細長いストレートな突壁で構成されており、前記接点部ガイド部は、前記摺動ガイド突部の長手方向の両端部に形成され幅方向に対して傾斜している傾斜部で構成されている端子接続構造である。
【００１１】
請求項３に記載の発明は、請求項１または請求項２に記載の端子接続構造において、前記摺動ガイド突部の幅方向の一方の側で前記摺動ガイド突部に沿って設けられ、前記タブ端子部を挿入方向へ移動するときに前記接点部が当接するとともに、前記挿入方向の奥側に向かうにしたがって突出量が次第に大きくなっている第１の勾配部と、前記摺動ガイド突部の幅方向の他方の側で前記摺動ガイド突部に沿って設けられ、前記タブ端子部を離脱方向へ移動するときに前記接点部が当接するとともに、前記離脱方向の奥側に向かうにしたがって突出量が次第に大きくなっている第２の勾配部とが設けられている端子接続構造である。
【００１２】
請求項４に記載の発明は、タブ端子部を有するオス端子と、筒部内に配置されたバネ接触部を有するメス端子とを備え、前記タブ端子部が前記筒部内に挿入され、前記バネ接触部の弾性復元力を接触荷重として前記タブ端子部と前記バネ接触部とが電気的に接続される端子接続構造において、前記タブ端子部には、突状の接点部が設けられており、前記バネ接触部には、前記タブ端子部の挿入・離脱方向に延びている摺動ガイド突部が設けられており、前記タブ端子部の挿入方向への移動では、前記接点部が前記摺動ガイド突部の幅方向の一方の側に沿って摺動して前記摺動ガイド突部を越える位置まで移動し、前記タブ端子部の離脱方向への移動では、前記接点部が前記摺動ガイド突部の幅方向の他方の側に沿って摺動するように前記接点部をガイドする接点部ガイド部が設けられている端子接続構造である。
【発明の効果】
【００１３】
本発明によれば、オス端子のタブ端子部がメス端子の筒部内に挿入されメス端子のバネ接触部の弾性復元力を接触荷重としてタブ端子部とバネ接触部とが電気的に接続される端子接続構造において、オス端子のタブ端子部のメス端子の筒部への挿抜を行っても（挿入し抜くことを行っても）、タブ端子部の削れの進行を防ぎ、オス端子とメス端子とがお互いに接続されたときにオス端子とメス端子と間の抵抗値が上昇することを抑制することができる端子接続構造を提供することができるという効果を奏する。
【図面の簡単な説明】
【００１４】
【図１】本発明の実施形態に係る端子接続構造を示す図であって、オス端子をメス端子に接続している途中の状態を概略的に示す図である。
【図２】本発明の実施形態に係る端子接続構造に使用されるオス端子の斜視図である。
【図３】本発明の実施形態に係る端子接続構造に使用されるオス端子の別の視点からの斜視図である。
【図４】図３におけるＩＶ部の拡大図である。
【図５】図４におけるＶ矢視図である。
【図６】図５におけるＶＩ―ＶＩ断面図である。
【図７】本発明の変形例に係る端子接続構造に使用されるオス端子であって変形例に係るオス端子の斜視図である。
【図８】図７におけるＶＩＩＩ部の拡大図である。
【図９】図８におけるＩＸ矢視図である。
【図１０】従来の端子接続構造を示す図である。
【図１１】従来の端子接続構造に使用されるオス端子のタブ部を示す図である。
【発明を実施するための形態】
【００１５】
本発明の実施形態に係る端子接続構造１は、図１で示すように、オス端子３とメス端子５とを備えて構成されている。
【００１６】
オス端子３は、図２等で示すように、タブ端子部７と電線加締部９とを有する。オス端子３は、所定形状に形成された導電性の板材を折り曲げ加工やプレス加工をすることで形成されている。また、オス端子３の表面にはメッキが施されている。電線加締部９には電線（図示せず）が設置されるようになっている。
【００１７】
メス端子５は、筒部１１と、筒部１１から延設され筒部１１内に配置されたバネ接触部１３と、電線接続部１５とを有する。メス端子５も、所定形状に形成された導電性の板材を折り曲げ加工やプレス加工をすることで形成されている。また、メス端子５の表面にもメッキが施されている。電線接続部１５には、電線（図示せず）が接続されるようになっている。
【００１８】
そして、タブ端子部７が筒部１１内に挿入され、バネ接触部１３の弾性復元力を接触荷重としてタブ端子部７とバネ接触部１３とがお互いに電気的に接続されるようになっている。
【００１９】
さらに説明すると、メス端子５のバネ接触部１３には、突状の接点部１７が設けられている。オス端子３のタブ端子部７には、図３〜図６で示すように、タブ端子部７の挿入・離脱方向（図１、図５の左右方向）に細長く延びている摺動ガイド突部１９が設けられている。
【００２０】
また、オス端子３には、接点部ガイド部２１が設けられている。接点部ガイド部２１によって接点部１７がガイドされることで、タブ端子部７（オス端子３）の挿入方向（図１の左方向）への移動では、接点部１７が摺動ガイド突部１９の幅方向の一方の側に沿って摺動して摺動ガイド突部１９を越える位置まで移動し、タブ端子部７の離脱方向（図１の右方向）への移動では、接点部１７が摺動ガイド突部１９の幅方向の他方の側に沿って摺動するように構成されている。接点部ガイド部２１は、たとえば、摺動ガイド突部１９のところに設けられている。
【００２１】
ここで、説明の便宜のために、タブ端子部７の挿入・離脱方向を前後方向とし、前後方向に対して直交する所定の一方向を幅方向とし、前後方向と幅方向とに対して直交する方向を高さ方向とする。
【００２２】
オス端子３とメス端子５とがお互い接続する直前の状態（初期状態；離脱状態）では、タブ端子部７は、前後方向に延びている。筒部１１は、たとえば、四角柱状に形成されており、中心軸が前後方向に延びており、電線接続部１５よりも後側に位置している。また、オス端子３はメス端子５よりも後側に位置しており、タブ端子部７は、電線加締部９よりも前方に位置している。また、メス端子５の筒部１１の中心軸と、オス端子３のタブ端子部７の中心軸とがお互いにほぼ一致している。
【００２３】
初期状態において、メス端子５に対してオス端子３を相対的に前側に移動すると、タブ端子部７が筒部１１に挿入され、上述したような接点部１７と摺動ガイド突部１９との係合がなされ、この後、オス端子３がメス端子５に接続されるようになっている。
【００２４】
オス端子３がメス端子５に接続されている状態（接続状態）から、メス端子５に対してオス端子３を相対的に後側に移動すると、上述したような接点部１７と摺動ガイド突部１９との係合がなされ、この後、タブ端子部７が筒部１１から抜かれ、オス端子３がメス端子５から離脱し上記初期状態に戻るようになっている。
【００２５】
なお、上記接続状態では、メス端子５の接点部１７が、オス端子３の摺動ガイド突部１９よりも後方に位置している。
【００２６】
端子接続構造１では、摺動ガイド突部１９が、前後方向に延びた細長いストレートな突壁２５で構成されている。
【００２７】
バネ接触部１３は板状であって片持ち梁状に形成されている。片持ち梁状のバネ接触部１３は、筒部１１の内部で前後方向に延びているとともに、板状のバネ接触部１３の厚さ方向が高さ方向と概ね一致している。接点部１７を板状のバネ接触部１３の厚さ方向から見ると、接点部１７は、円形状に形成されており、バネ接触部１３の前後方向と幅方向の中間部に位置している。また、接点部１７は、タブ端子部７が挿入される側に突出している。
【００２８】
接点部ガイド部２１は、摺動ガイド突部１９の長手方向の両端部に形成されており、前後方向と幅方向に対して傾斜している傾斜部２３で構成されている。
【００２９】
タブ端子部７は、たとえば、筒状に形成されており、所定の幅と高さで前後方向に細長く延びている。なお、タブ端子部７を１枚のフラットな板状に形成してもよい。
【００３０】
摺動ガイド突部１９を構成している突壁２５は、タブ端子部７の高さ方向の一方の面で、タブ端子部７の平面状になっている部位から所定の高さだけ突出している。摺動ガイド突部１９も前後方向に長く延びており、摺動ガイド突部１９の前後方向の寸法はタブ端子部７の前後方向の寸法よりも小さくなっており、摺動ガイド突部１９の幅方向の寸法はタブ端子部７の幅方向の寸法よりも小さくなっており、高さ方向から見ると、摺動ガイド突部１９はタブ端子部７の前後方向と幅方向のほぼ中央部でタブ端子部７の内側に位置している。
【００３１】
高さ方向から見ると、図５で示すように、接点部ガイド部２１を構成している一方の傾斜部２３（２３Ａ）は、円の１／４の扇形状に形成されており、摺動ガイド突部１９の前端部に設けられており、扇形の一方の半径は幅方向に延びており、扇形の他方の半径は、前後方向に延びており、摺動ガイド突部１９の幅方向の他方の端を形成している。
【００３２】
また、高さ方向から見ると、接点部ガイド部２１を構成している他方の傾斜部２３（２３Ｂ）も、円の１／４の扇形状に形成されており、摺動ガイド突部１９の後端部に設けられており、扇形の一方の半径は幅方向に延びており、扇形の他方の半径は、前後方向に延びており、摺動ガイド突部１９の幅方向の一方の端を形成している。
【００３３】
上記初期状態からタブ端子部７を筒部１１内に挿入すると、タブ端子部７が筒部１１内に入り始め、接点部１７が摺動ガイド突部１９の長手方向の一方の端部に形成されている接点部ガイド部２１（一方の傾斜部２３Ａ；前側の傾斜部２３Ａ）に当接する。
【００３４】
この当接をしている状態でタブ端子部７を筒部１１内にさらに挿入すると、一方の傾斜部２３Ａから接点部１７が受ける反力で、メス端子５（接点部１７）がオス端子３（摺動ガイド突部１９）に対し、幅方向の一方の側に相対的に僅かに移動する。この幅方向への僅かな移動は、たとえば、バネ接触部１３が僅かに弾性変形することでなされるようになっている。なお、筒部１１の一対の側面部に片持ち梁状の切り起しを設け、この切り起しをオス端子３に当接させて幅方向の両側からオス端子３を付勢しておき、切り起しを弾性変形させることで、上記幅方向への僅かな移動ができるように構成してもよい。
【００３５】
タブ端子部７を筒部１１内にさらに挿入すると、メス端子５の接点部１７が一方の傾斜部２３Ａよりも後方に移動し摺動ガイド突部１９の幅方向の一方の側に沿って摺動し、メス端子５の接点部１７が摺動ガイド突部１９を越えて、摺動ガイド突部１９よりも後側に位置し、メス端子５の接点部１７がタブ端子部７に接触する等して、オス端子３がメス端子５に接続されるようになっている。
【００３６】
なお、メス端子５の接点部１７が摺動ガイド突部１９を越えたとき、たとえば、接点部１７が摺動ガイド突部１９から離れ、上述した接点部１７の摺動ガイド突部１９に対する幅方向の一方の側への相対的な移動状態が解除されるようになっている。
【００３７】
また、タブ端子部７を筒部１１に挿入しつつオス端子３をメス端子５に接続している途中の状態、および、タブ端子部７を筒部１１に挿入し終えてオス端子３がメス端子５に接続し終えた状態では、タブ端子部７は、バネ接触部１３とこのバネ接触部１３に対向している筒部１１の壁部との間に入り、この筒部１１の壁部とバネ接触部１３とにより上下方向で挟まれるようになっている。すなわち、バネ接触部１３の弾性復元力による接触荷重によって、タブ端子部７が挟まれ、オス端子３がメス端子５に接続されるようになっている。
【００３８】
一方、接続状態でタブ端子部７を筒部１１内から抜き始めると、接点部１７が摺動ガイド突部１９の長手方向の他方の端部に形成されている接点部ガイド部２１（他方の傾斜部２３Ｂ；後側の傾斜部２３Ｂ）に当接する。
【００３９】
この当接をしている状態でタブ端子部７を筒部１１からさらに抜くと、他方の傾斜部２３Ｂから接点部１７が受ける反力で、メス端子５（接点部１７）がオス端子３（摺動ガイド突部１９）に対し、幅方向の他方の側に相対的に僅かに移動する。タブ端子部７を筒部１１から抜く方向にさらに移動すると、メス端子５の接点部１７が他方の傾斜部２３Ｂよりも前方に移動し摺動ガイド突部１９の幅方向の他方の側に沿って摺動し、メス端子５の接点部１７が摺動ガイド突部１９を越えて、摺動ガイド突部１９よりも前側に位置し、この後、タブ端子部７が筒部１１から抜けて、オス端子３がメス端子５に離脱されるようになっている。
【００４０】
以上により、挿抜方向で、接点部１７が摺動するタブ端子部７の部位を振り分けることができる。なお、傾斜部２３は必ずしも円弧状になっている必要はなく、直線状等の他の形状になっていてもよい。
【００４１】
初期状態で、オス端子３をメス端子５に対して相対的に前側に移動し、タブ端子部７を筒部１１内に挿入すると、タブ端子部７が筒部１１内に入り始め、接点部１７が摺動ガイド突部１９の長手方向の一方の端部に形成されている傾斜部２３Ａに当接する。
【００４２】
この当接をしている状態でタブ端子部７を筒部１１内にさらに挿入すると、メス端子５の接点部１７が傾斜部２３Ａよりも後方に移動し摺動ガイド突部１９の幅方向の一方の側に沿って摺動し、メス端子５の接点部１７が摺動ガイド突部１９を越えて、摺動ガイド突部１９よりも後側に位置し、メス端子５の接点部１７がタブ端子部７に接触する等して、オス端子３がメス端子５に接続される（図５の矢印Ａ１参照）。
【００４３】
一方、接続状態で、オス端子３をメス端子５に対して相対的に後側に移動し、タブ端子部７を筒部１１内から抜き始めると、接点部１７が摺動ガイド突部１９の長手方向の他方の端部に形成されている傾斜部２３Ｂに当接する。
【００４４】
この当接をしている状態でタブ端子部７を筒部１１からさらに抜くと、メス端子５の接点部１７が傾斜部２３Ｂよりも前方に移動し摺動ガイド突部１９の幅方向の他方の側に沿って摺動し、メス端子５の接点部１７が摺動ガイド突部１９を越えて、摺動ガイド突部１９よりも前側に位置し、この後、タブ端子部７が筒部１１から抜けて、オス端子３がメス端子５から離脱される（図５の矢印Ａ２参照）。
【００４５】
端子接続構造１によれば、タブ端子部７の挿入方向への移動では接点部１７が摺動ガイド突部１９の幅方向の一方の側に沿って摺動して摺動ガイド突部１９を越える位置まで移動し、タブ端子部７の離脱方向への移動では接点部１７が摺動ガイド突部１９の幅方向の他方の側に沿って摺動するように接点部１７をガイドする接点部ガイド部２１が設けられているので、オス端子３のタブ端子部７のメス端子５の筒部１１への挿抜を行っても、タブ端子部７の削れの進行を防ぐことができ、オス端子３とメス端子５とがお互いに接続されたときにオス端子３とメス端子５と間の抵抗値が上昇することを抑制することができる。
【００４６】
特に、オス端子３の表面にメッキが施されている場合、メッキの削れの進行を抑制することで、母材の露出を防止することができ、オス端子３とメス端子５とがお互いに接続されたときにオス端子３とメス端子５と間の抵抗値が上昇することを防止することができる。
【００４７】
また、接点部１７が摺動ガイド突部１９の幅方向の一方の側もしくは他方の側に沿って摺動するときに、タブ端子部７の削れカス（磨耗粉）が振り落とされ、これによって電気的接続の信頼性が一層向上する。
【００４８】
また、端子接続構造１によれば、接点部ガイド部２１が摺動ガイド突部１９の長手方向の両端部に形成された傾斜部２３で構成されているので、構成が簡素化されている。
【００４９】
次に、変形例に係る端子接続構造１ａについて説明する。
【００５０】
変形例に係る端子接続構造１ａは、摺動ガイド突部１９の幅方向の両端部に勾配部２７，２９が設けられている点が上述した端子接続構造１と異なり、その他の点は、上述した端子接続構造１とほぼ同様に構成されており、ほぼ同様の効果を奏する。
【００５１】
すなわち、端子接続構造１ａでは、第１の勾配部２７と第２の勾配部２９とが設けられている。
【００５２】
第１の勾配部２７は、摺動ガイド突部１９の幅方向の一方の側で摺動ガイド突部１９に隣接し摺動ガイド突部１９に沿って設けられている。また、第１の勾配部２７は、タブ端子部７を挿入方向へ移動するときに接点部１７が当接するとともに、挿入方向の奥側（後側）に向かうにしたがって、タブ端子部本体部（摺動ガイド突部１９を除くタブ端子部７の部位）からの突出量（高さ方向の突出量）が次第に大きくなっている。
【００５３】
第１の勾配部２７は、前端では突出量が「０」になっており、後端では、突出量が摺動ガイド突部１９の突出量と等しくなっている。
【００５４】
第２の勾配部２９は、摺動ガイド突部１９の幅方向の他方の側で摺動ガイド突部１９に隣接し摺動ガイド突部１９に沿って設けられている。また、第２の勾配部２９は、タブ端子部７を離脱方向へ移動するときに接点部１７が当接するとともに、離脱方向の奥側（前側）に向かうにしたがって、タブ端子部本体部からの突出量が次第に大きくなっている。
【００５５】
第２の勾配部２９は、後端では突出量が「０」になっており、前端では、突出量が摺動ガイド突部１９の突出量と等しくなっている。
【００５６】
端子接続構造１ａによれば、オス端子３とメス端子５との接続・離脱をするときに、第１の勾配部２７と第２の勾配部２９とを接点部１７が通るようになっている（図９の矢印Ａ３，Ａ４参照）ので、磨耗粉をふるい落とすことができ、接点部１７のところに磨耗粉がたまって電気抵抗が高くなることが無くなり、電気的接続の信頼性が一層向上する。
【００５７】
また、第１の勾配部２７の突出量が次第に大きくなっているので、オス端子３のタブ端子部７をメス端子５の筒部１１に挿入してオス端子３をメス端子５に接続するときバネ接触部１３の弾性変形量が次第に大きくなり、挿入に要する力が次第に大きくなる。これにより、オス端子３をメス端子５に接続するときの感触を良好なものにすることができる。同様にして、オス端子３をメス端子５から離脱させるときの感触を良好なものにすることができる。
【００５８】
ところで、端子接続構造１，、１ａでは、接点部ガイド部２１が摺動ガイド突部１９に設けられているが、これに代えてもしくは加えて接点部ガイド部２１が接点部１７に設けられていてもよい。たとえば、接点部１７の形状を非円形の適宜の形状にして、接点部ガイド部２１を構成してもよい。
【００５９】
さらに、端子接続構造１，１ａでは、メス端子５のバネ接触部１３に接点部１７が設けられており、オス端子３のタブ端子部７に摺動ガイド突部１９が設けられているが、逆に、メス端子のバネ接触部に摺動ガイド突部が設けられており、オス端子のタブ端子部に接点部が設けられていてもよい。
【００６０】
すなわち、タブ端子部を有するオス端子と、筒部内に配置されたバネ接触部を有するメス端子と、前記タブ端子部が前記筒部内に挿入され、前記バネ接触部の弾性復元力を接触荷重として前記タブ端子部と前記バネ接触部とがお互いに電気的に接続される端子接続構造において、オス端子の前記タブ端子部には、突状の接点部が設けられており、メス端子の前記バネ接触部には、前記タブ端子部の挿入・離脱方向に細長く延びている摺動ガイド突部が設けられており、前記タブ端子部の挿入方向への移動では、前記接点部が前記摺動ガイド突部の幅方向の一方の側に沿って摺動して前記摺動ガイド突部を越える位置まで移動し、前記タブ端子部の離脱方向への移動では、前記接点部が前記摺動ガイド突部の幅方向の他方の側に沿って摺動するように前記接点部をガイドする接点部ガイド部が、たとえば、摺動ガイド突部のところに設けられている端子接続構造であってもよい。
【符号の説明】
【００６１】
１，１ａ  端子接続構造
３  オス端子
５  メス端子
７  タブ端子部
１１  筒部
１３  バネ接触部
１７  接点部
１９  動ガイド突部
２１  接点部ガイド部
２３  傾斜部
２５  突壁
２７  第１の勾配部
２９  第２の勾配部
【図１】
2015179647.tif 000003
【図２】
2015179647.tif 000004
【図３】
2015179647.tif 000005
【図４】
2015179647.tif 000006
【図５】
2015179647.tif 000007
【図６】
2015179647.tif 000008
【図７】
2015179647.tif 000009
【図８】
2015179647.tif 000010
【図９】
2015179647.tif 000011
【図１０】
2015179647.tif 000012
【図１１】
2015179647.tif 000013